【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
強化用無機充填材としての沈降シリカと少なくとも１つのエラストマーとを含むエラストマー組成物の調製における少なくとも１つのポリカルボン酸の使用であって、前記ポリカルボン酸および前記沈降シリカが、少なくとも１つのエラストマー中へ、互いに独立して、組み入れられる使用。
【請求項２】
少なくとも１つのエラストマーと強化用無機充填材としての沈降シリカとを含むエラストマー組成物における少なくとも１つのポリカルボン酸の使用。
【請求項３】
前記エラストマー組成物の粘度を下げるための、請求項１または２に記載の使用。
【請求項４】
少なくとも１つのエラストマーと、強化用充填材としての沈降シリカと少なくとも１つのポリカルボン酸とを含むエラストマー組成物であって、前記ポリカルボン酸が前記沈降シリカ中に含有されていない組成物。
【請求項５】
前記ポリカルボン酸が、２〜２０個の炭素原子を含有する直鎖もしくは分岐の、飽和もしくは不飽和の脂肪族ポリカルボン酸および７〜２０個の炭素原子を含有する芳香族ポリカルボン酸から選択されることを特徴とする、請求項４に記載の組成物。
【請求項６】
ジカルボン酸およびトリカルボン酸が、アジピン酸、コハク酸、エチルコハク酸、グルタル酸、メチルグルタル酸、シュウ酸およびクエン酸から選択されることを特徴とする、請求項５に記載の組成物。
【請求項７】
前記ポリカルボン酸がコハク酸であることを特徴とする、請求項４〜６のいずれか一項に記載の組成物。
【請求項８】
ポリカルボン酸の混合物が使用されることを特徴とする、請求項４〜６のいずれか一項に記載の組成物。
【請求項９】
ポリカルボン酸の前記混合物が、次の酸：アジピン酸、グルタル酸およびコハク酸を含むことを特徴とする、請求項８に記載の組成物。
【請求項１０】
ポリカルボン酸の前記混合物が、次の酸：メチルグルタル酸、エチルコハク酸およびアジピン酸を含むことを特徴とする、請求項８に記載の組成物。
【請求項１１】
前記沈降シリカが、１００〜３５０ｍ２／ｇのＣＴＡＢ比表面積を有することを特徴とする、請求項４〜１０のいずれか一項に記載の組成物。
【請求項１２】
前記沈降シリカが、１００〜３７０ｍ２／ｇのＢＥＴ比表面積を有することを特徴とする、請求項４〜１１のいずれか一項に記載の組成物。
【請求項１３】
前記エラストマー組成物が、
（１）イソプレンすなわち２−メチル−１，３−ブタジエンの単独重合によって得られる合成ポリイソプレン；
（２）イソプレンと、
（２．１）４〜２２個の炭素原子を有する、イソプレン以外の、共役ジエンモノマー、例えば１，３−ブタジエン、２，３−ジメチル−１，３−ブタジエン、２−クロロ−１，３−ブタジエン（すなわちクロロプレン）、１−フェニル−１，３−ブタジエン、１，３−ペンタジエンまたは２，４−ヘキサジエン；
（２．２）８〜２０個の炭素原子を有するビニル芳香族モノマー、例えばスチレン、オルト−、メタ−もしくはパラ−メチルスチレン、市販の混合物「ビニルトルエン」、パラ−（第三級ブチル）スチレン、メトキシスチレン、クロロスチレン、ビニルメシチレン、ジビニルベンゼンまたはビニルナフタレン；
（２．３）３〜１２個の炭素原子を有するビニルニトリルモノマー、例えばアクリロニトリルまたはメタクリロニトリル；
（２．４）アクリル酸もしくはメタクリル酸と１〜１２個の炭素原子を有するアルカノールとから誘導されるアクリル酸エステルモノマー、例えばメチルアクリレート、エチルアクリレート、プロピルアクリレート、ｎ−ブチルアクリレート、イソブチルアクリレート、２−エチルヘキシルアクリレート、メチルメタクリレート、エチルメタクリレート、ｎ−ブチルメタクリレートまたはイソブチルメタクリレート；
（２．５）上述のモノマー（２．１）〜（２．４）の少なくとも２つの混合物
から選択される１つ以上のエチレン性不飽和モノマーとの共重合によって得られる合成ポリイソプレンであって；２０重量％〜９９重量％のイソプレン単位と８０重量％〜１重量％のジエン、ビニル芳香族、ビニルニトリルおよび／またはアクリル酸エステル単位とを含み、例えば、ポリ（イソプレン−ブタジエン）、ポリ（イソプレン−スチレン）およびポリ（イソプレン−ブタジエン−スチレン）からなるコポリマーのポリイソプレン；
（３）上述の共役ジエンモノマー（２．１）の１つの単独重合によって得られるポリジエン、例えばポリブタジエンおよびポリクロロプレン；
（４）上述の共役ジエン（２．１）の少なくとも２つの一緒の共重合によってまたは１つ以上の上述の不飽和モノマー（２．２）、（２．３）および／または（２．４）の共重合によって得られるポリジエン、例えばポリ（ブタジエン−スチレン）およびポリ（ブタジエン−アクリロニトリル）；
（５）エチレン、３〜６個の炭素原子を含有するα−オレフィンと６〜１２個の炭素原子を含有する非共役ジエンモノマーとの共重合によって得られる三元コポリマー、例えばエチレンまたはプロピレンと特に１，４−ヘキサジエン、エチリデン−ノルボルネン、ジシクロペンタジエンなどの上述のタイプの非共役ジエンモノマーとから得られるエラストマー（ＥＰＤＭエラストマー）；
（６）天然ゴムおよびエポキシ化天然ゴム；
（７）イソブテンとイソプレンとの共重合によって得られるコポリマー、およびまたこれらのコポリマーのハロゲン化物、特に塩素化物または臭素化物；
（８）上述のポリマーに関連した官能化ポリマー；
（９）上述のエラストマー（１）〜（８）の少なくとも２つの混合物
から選択される少なくとも１つのエラストマーを含むことを特徴とする、請求項４〜１２のいずれか一項に記載の組成物。
【請求項１４】
前記エラストマー組成物が、ポリイソプレン、ポリ（イソプレン−ブタジエン）、ポリ（イソプレン−スチレン）、ポリ（イソプレン−ブタジエン−スチレン）、ポリブタジエン、ポリ（ブタジエン−スチレン）、エチレン−プロピレン−ジエン三元コポリマー、天然ゴムおよびエポキシ化天然ゴム、ならびにそれらの関連官能化ポリマーから選択される少なくとも１つのエラストマーを含むことを特徴とする、請求項１３に記載の組成物。
【請求項１５】
前記エラストマー組成物が、エラストマーとして、少なくともポリ（ブタジエン−スチレン）とポリブタジエンとの混合物を含み、前記エラストマー組成物が好ましくは、エラストマーとして、ポリ（ブタジエン−スチレン）とポリブタジエンとの混合物のみを含むことを特徴とする、請求項４〜１４のいずれか一項に記載の組成物。
【請求項１６】
前記エラストマー組成物が、エラストマーとして、少なくともポリ（ブタジエン−スチレン）と天然ゴムとの混合物を含み、前記エラストマー組成物が好ましくは、エラストマーとして、ポリ（ブタジエン−スチレン）と天然ゴムとの混合物のみを含むことを特徴とする、請求項４〜１４のいずれか一項に記載の組成物。
【請求項１７】
前記エラストマー組成物が、エラストマーとして、少なくとも天然ゴムを含み、前記エラストマー組成物が好ましくは、エラストマーとして、天然ゴムのみを含むことを特徴とする、請求項４〜１４のいずれか一項に記載の組成物。
【請求項１８】
請求項４〜１７のいずれか一項に記載のエラストマー組成物の調製方法であって、前記方法が、少なくとも１つのエラストマーと、沈降シリカと少なくとも１つのポリカルボン酸とを混合する工程を含む方法。
【請求項１９】
請求項４〜１８のいずれか一項に記載の少なくとも１つの組成物を含む物品であって、履物底、床仕上げ材、ガスバリア、難燃性材料、ケーブルカーローラ、家庭電化製品用シール、液体もしくはガスパイプ用シール、ブレーキ装置シール、パイプ、被覆材、ケーブル、エンジンサポート、電池セパレーター、コンベヤーベルト、伝動ベルトまたは、好ましくは、タイヤからなる物品。
【請求項２０】
請求項１９に記載のタイヤ。